(57)【要約】【課題】平面縦長の除湿機であってもコンパクトに且つ、タンク容量も比較的大きくとれ、持ち運びにおいてもバランス良く持ち運べる除湿機を提供する。【解決手段】枠体内の仕切板５によって隔てられた底板２後部に圧縮機８を収納する機械室６を、底板２前部にドレンタンク９を収納するタンク室７を設け、枠体側面に吸込口を上面に吹出口を備え、ドレンパン等で隔てられた前記機械室６、タンク室７の上方に蒸発器と凝縮器と送風ファンを備え、前記吸込口と蒸発器、凝縮器、送風ファン、吹出口を連通して送風経路を形成した除湿機に於いて、前記枠体１の左右両側面間の寸法を後部より前方に向かうに従って幅広とし、前面下部にドレンタンク９を設けたものである。【選択図】      図３
2004239497.tif 000002
【特許請求の範囲】
【請求項１】
枠体内の仕切板によって隔てられた底板後部に圧縮機を収納する機械室を、底板前部にドレンタンクを収納するタンク室を設け、枠体側面に吸込口を上面に吹出口を備え、ドレンパン等で隔てられた前記機械室、タンク室の上方に蒸発器と凝縮器と送風ファンを備え、前記吸込口と蒸発器、凝縮器、送風ファン、吹出口を連通して送風経路を形成した除湿機に於いて、前記枠体の左右両側面間の寸法を後部より前方に向かうに従って幅広とし、前面下部にドレンタンクを設けた事を特徴とする除湿機。
【請求項２】
枠体内の仕切板によって隔てられた底板後部に圧縮機を収納する機械室を、底板前部にドレンタンクを収納するタンク室を設け、枠体側面に吸込口を上面に吹出口を備え、ドレンパン等で隔てられた前記機械室、タンク室の上方に蒸発器と凝縮器と送風ファンを備え、前記吸込口と蒸発器、凝縮器、送風ファン、吹出口を連通して送風経路を形成した除湿機に於いて、前記枠体は左右略対称とし、この対称線上の機械室内に圧縮機を収納し、圧縮機の上方の枠体に取手部を形成した事を特徴とする除湿機。
【発明の詳細な説明】
【０００１】
【発明の属する技術分野】
この発明は、一般家庭で使用される小型の除湿機に関するものである。
【０００２】
【従来の技術】
従来の一般家庭で使用される除湿機は、枠体下部にドレンタンクを備え除湿運転で発生した結露水を溜め、このドレンタンクが満水になることで運転を停止していたので、ドレンタンクの容量が小さければ連続で運転できる時間が少なくなるため、ドレンタンクを大きくする事でドレンタンク内に溜まった結露水を捨てる回数を少なくした除湿機が消費者に好まれる傾向にある。
また平面縦長の除湿機は有ったが薄型にコンパクトにするために除湿機の大きさに対してドレンタンクが小さなものであった。（例えば、特許文献１参照）
【０００３】
【特許文献１】
特許第３２５８９７１号公報
【０００４】
【発明が解決しようとする課題】
そこで、平面縦長の除湿機であってもコンパクトに且つ、タンク容量も比較的大きくとれ、持ち運びにおいてもバランス良く持ち運べる除湿機を提供する事を課題とするものである。
【０００５】
【課題を解決するための手段】
この発明はこの点に着目し上記欠点を解決する為、枠体内の仕切板によって隔てられた底板後部に圧縮機を収納する機械室を、底板前部にドレンタンクを収納するタンク室を設け、枠体側面に吸込口を上面に吹出口を備え、ドレンパン等で隔てられた前記機械室、タンク室の上方に蒸発器と凝縮器と送風ファンを備え、前記吸込口と蒸発器、凝縮器、送風ファン、吹出口を連通して送風経路を形成した除湿機に於いて、前記枠体の左右両側面間の寸法を後部より前方に向かうに従って幅広とし、前面下部にドレンタンクを設けたものである。
【０００６】
また枠体内の仕切板によって隔てられた底板後部に圧縮機を収納する機械室を、底板前部にドレンタンクを収納するタンク室を設け、枠体側面に吸込口を上面に吹出口を備え、ドレンパン等で隔てられた前記機械室、タンク室の上方に蒸発器と凝縮器と送風ファンを備え、前記吸込口と蒸発器、凝縮器、送風ファン、吹出口を連通して送風経路を形成した除湿機に於いて、前記枠体は左右略対称とし、この対称線上の機械室内に圧縮機を収納し、圧縮機の上方の枠体に取手部を形成したものである。
【０００７】
これによって、ドレンタンクを比較的大きく形成する事ができると共に、ドレンタンクが枠表面に露出する面積が大きくなり、ドレンタンク内の水位を確認する事が極めて容易になるものである。
また、正面からは側面の吸込口が見えなくなりデザイン性も向上するものである。
【０００８】
【発明の実施の形態】
この発明の除湿機を図面に示した一実施例で説明すれば、１は除湿機の枠体で平面縦長で後部から前部に向かうに従ってその幅寸法が徐々に広くなる形状の底板２上の外周形状に沿って上方に形成され左右が略対称の左枠体３と右枠体４とを設けて本体の外郭を構成している。
【０００９】
５は前記底板２の前後方向の略中央に垂直に取付けられ、前後方向に隔てる仕切板で、この仕切板５の後方には機械室６を、前方にはタンク室７を設け、前記機械室６の左右対称線上に圧縮機８が、タンク室７には前方に引き出して着脱自在のドレンタンク９を備えている。
【００１０】
１０は前記左枠体３に上部に形成された吸込口で、横長のスリットを多数備えた開口が設けられ、左枠体３の側面は左斜め後方に向いているので、正面からは吸込口１０が隠れてほとんど見えないものである。
１１は前記右枠体４の上面に設けた吹出口で、開いた時に風向板を兼ねる開閉自在の蓋１２によって乾燥空気の吹出方向を右斜め上方向から水平方向に自由にかえることができるものである。
【００１１】
前記吸込口１０の内側には樹脂製の網や不織布からなり、吸入空気に混入するホコリを取り除くフィルタ（図示せず）をそなえている。このフィルタの内側にはフィンチューブ式の熱交換器からなる蒸発器１３と、蒸発器１３の更に下流には、同じくフィンチューブ式の熱交換器からなる凝縮器１４を設け、この凝縮器１４の下流には送風ファン１５及びこのファン１５を駆動するファンモータ１６が設けられ、前記吸込口１０と吹出口１１の間に形成した送風経路１７の送風を行うものである。
【００１２】
前記凝縮器１４とファンモータ１６の間には、樹脂材料で一体成型された熱交固定部材１９を設け、この熱交固定部材１９は前記モータ１６を取付けると共に送風ファン１５の吸入口１８を備えたファンガイド部２０と、前記蒸発器１３と凝縮器１４のフィンの上面や銅管を固定する上部固定部２１と、蒸発器１３で発生した結露水を受けるドレンパン部２２を一体に成形し、前記ファンガイド部２０と上部固定部２１の間と、ファンガイド部２０とドレンパン部２２の間に、折曲可能な肉薄部２３を形成し、この肉薄部２３を中心にして約９０度の角度で折り曲げて、蒸発器１３と凝縮器１４を挟み込み固定するものである。
【００１３】
２４はモータ取付部で、前記吸入口１８より立設される足の間を吸込空気が通過するものである。
２５は前記上部固定部２１の左右に突出する上固定片で、前記蒸発器１３、凝縮器１４の銅管等の上部を押さえるものである。
２６は前記ドレンパン部２２の左右に突出する下固定片で、前記蒸発器１３、凝縮器１４の銅管等の下部を押さえるものである。
【００１４】
前記ファンガイド部２０の下部にはネジ穴用凸部２７を、折曲状態でこの凸部２７に対向するドレンパン部２２にはネジ穴２８を備え、ファンガイド部２０とドレンパン部２２の折曲状態をネジ２９にて保持する固定手段を備えるものである。
又前記上部固定部２１の下部には爪部３０を、折曲状態でこの爪部３０が係止する、溝又は突起３１をファンガイド部２０の上部に設ける係止手段を備えるものである。
【００１５】
前記圧縮機８は凝縮器１４とキャピラリーチューブ等の減圧装置（図示せず）と蒸発器１３を冷媒配管で連通して、圧縮機８の運転により凝縮器１４は高温になり、蒸発器１３は低温になるものである。
【００１６】
前記ドレンタンク９は枠体１の左右両側面間の寸法を後部より前方に向かうに従って幅広に形成し、前面下部に大きな容積で設ける。また、前記ドレンタンクは下部前面で前面穴３２に着脱自在に設けられ、ドレンタンク９装着時に前記ドレンパン部２２の排水口３３から排水される結露水を溜めるものであり、タンク前面下部にはタンク９を前面に引き出すための取手用凹部３４を備えている。
【００１７】
３５は枠体１上面の操作部で運転ボタン３６、タイマーボタン３７、運転コース選択ボタン３８等のボタン類を備え、前記枠体１の左右両側面間の寸法を後部より前方に向かうに従って幅広に形成し、ドレンタンク９上方の広い上面に設けたので、とても見やすく操作がしやすいものである。
３９は前記枠体１上面のやや後部側で左右枠体３・４の接合に設けた取手部で、一番重い部品である前記圧縮機８の上方に設けられ、持ち運び時にバランス良く除湿機を持ち運べるものである。
【００１８】
このようにすることで、小型の除湿機であってもドレンタンク９を比較的大きく形成する事ができると共に、ドレンタンク９が枠表面に露出する面積が大きくなり、ドレンタンク９内の水位を確認する事が極めて容易になるものである。
また、正面からは側面の吸込口が見えなくなりデザイン性も向上するものである。
また、ドレンタンク９上方の上面に配置した操作部３５を大きく設けることができ操作が容易になるものである。
また、適切な取手の配置によりバランス良く除湿機を持ち運べるものである。
【００１９】
【発明の効果】
以上のようにこの発明によれば、ドレンタンクを比較的大きく形成する事ができると共に、ドレンタンクが枠表面に露出する面積が大きくなり、ドレンタンク内の水位を確認する事が極めて容易になるものである。
また、正面からは側面の吸込口が見えなくなりデザイン性も向上するものである。
また、適切な取手の配置によりバランス良く除湿機を持ち運べるものである。
【図面の簡単な説明】
【図１】この発明一実施例の斜視図。
【図２】同分解状態の斜視図。
【図３】同平面の拡大断面図。
【図４】同正面中央の拡大断面図。
【図５】同熱交固定部材の拡大断面図。
【符号の説明】
１  枠体
２  底板
３  左枠体
４  右枠体
５  仕切板
６  機械室
７  タンク室
８  圧縮機
９  ドレンタンク
３９  取手部
【図１】
2004239497.tif 000003
【図２】
2004239497.tif 000004
【図３】
2004239497.tif 000005
【図４】
2004239497.tif 000006
【図５】
2004239497.tif 000007